(57)【要約】【課題】  高いポンプ性能を補償し、そして特に、危険なく高回転かつ高トルクで運転されることが可能である、真空ポンプ、特にターボ分子ポンプの為のローター装置が製造されることが可能である一つの方法を提供すること。【解決手段】  課題は、一つのローター軸（１０）、ローター軸（１０）と接続される少なくとも一つのローターディスク（１２）、および、ローターディスク（１２）を取り囲む少なくとも一つの補強リング（１４）を有する、真空ポンプ、特にターボ分子ポンプの為のローター装置を製造するための方法であって、その際、該方法が、補強リング（１４）とローターディスク（１２）の間に、一つの横断方向圧着接続、特に延伸圧着接続、または収縮圧着接続が、形成されることを含むことを特徴とする方法により解決される。【選択図】      図１
2015137648.tif 000002
【特許請求の範囲】
【請求項１】
一つのローター軸（１０）、ローター軸（１０）と接続される少なくとも一つのローターディスク（１２）、および、ローターディスク（１２）を取り囲む少なくとも一つの補強リング（１４）を有する、真空ポンプ、特にターボ分子ポンプの為のローター装置を製造するための方法であって、
その際、該方法が、補強リング（１４）とローターディスク（１２）の間に、一つの横断方向圧着接続、特に延伸圧着接続、または収縮圧着接続が、形成されることを含むことを特徴とする方法。
【請求項２】
横断方向圧着接続の形成の為に、ローターディスク（１２）が冷却され、そしてその後、補強リング（１４）が、冷却されたローターディスク（１２）に取り付けられることを特徴とする請求項１に記載の方法。
【請求項３】
収縮圧着接続の形成の為に、補強リング（１４）が暖められ、そしてその後ローターディスク（１２）上に取り付けられる、特に焼き嵌めされることを特徴とする請求項１または２に記載の方法。
【請求項４】
ローターディスク（１２）が、二つの軸方向端部を有し、その際、両方の軸方向端部に、各一つの補強リング（１４）がローターディスク（１２）に取り付けられ、そして、横断方向圧着接続が、各補強リング（１４）とローターディスク（１２）の間に形成されることを特徴とする請求項１から３のいずれか一項に記載の方法。
【請求項５】
補強リング（１４）が、正確に一つのローターディスク（１２）のみと接続されることを特徴とする請求項１から４のいずれか一項に記載の方法。
【請求項６】
ローターディスク（１２）が、好ましくは補強リング（１４）との横断方向圧着接続の後、ローター軸（１０）に取り付けられることを特徴とする請求項１から５のいずれか一項に記載の方法。
【請求項７】
ローターディスク（１２）とローター軸（１０）の間に、横断方向圧着接続、特に、延伸圧着接続、または収縮圧着接続が形成されることを特徴とする請求項６に記載の方法。
【請求項８】
複数のローターディスク（１２）が、ローター軸（１０）に取り付けられ、特に、延伸圧着接続または収縮圧着接続を、各ローターディスク（１２）とローター軸（１０）の間に形成しつつ取り付けられることを特徴とする請求項６または７に記載の方法。
【請求項９】
複数のローターディスク（１２）が、一つの共通のプロセスにおいてローター軸（１０）と接続されることを特徴とする請求項８に記載の方法。
【請求項１０】
複数のローターディスク（１２）が、個々にローター軸（１０）に取り付けられることを特徴とする請求項８または９に記載の方法。
【請求項１１】
複数のローターディスク（１２）は、これらが真空ポンプ内において、軸方向で、ローターディスク（１２）の間に位置し、好ましくは真空ポンプのハウジングに設けられた、または取り付けられたステータディスク（１６）と交互に並ぶよう、ローター軸（１０）に取り付けられることを特徴とする請求項８から１０のいずれか一項に記載の方法。
【請求項１２】
補強リング（１４）が、完全に、または部分的に、繊維強化プラスチック、特に炭素繊維強化プラスチック、及び／又は高じん性繊維または超高じん性繊維を伴うプラスチックから成ることを特徴とする請求項１から１１のいずれか一項に記載の方法。
【請求項１３】
一つのローター軸（１０）、ローター軸（１０）と接続される少なくとも一つのローターディスク（１２）および、ローターディスク（１２）、特にローターディスク（１２）の中央の担持リング（２２）を取り囲む少なくとも一つの補強リング（１４）を有する、真空ポンプ、特にターボ分子ポンプの為のローター装置であって、その際、補強リング（１４）が、横断方向圧着接続、特に延伸圧着接続または収縮圧着接続を介してローターディスクと接続されていることを特徴とするローター装置。
【請求項１４】
ローターディスク（１２）が、二つの軸方向端部を有し、その際、両方の軸方向端部において、各一つの補強リング（１４）が、ローターディスク（１２）に取り付けられ、そして横断方向圧着接続が、補強リング（１４）とローターディスク（１２）の間に形成されていることを特徴とする請求項１３に記載のローター装置。
【請求項１５】
ローターディスク（１２）が、横断方向圧着接続、特に延伸圧着接続または収縮圧着接続を介して、ローター軸（１０）と接続されていることを特徴とする請求項１３または１４に記載のローター装置。
【請求項１６】
補強リング（１４）が、正確に一つのローターディスク（１２）のみと接続されていることを特徴とする請求項１３から１５のいずれか一項に記載のローター装置。
【請求項１７】
補強リング（１４）が、ローター軸（１０）の軸（２０）の方向において、ローターディスク（１２）を越えて突き出していない、特に、ローターディスク（１２）の中央の担持リング（２２）を越えて突き出していないことを特徴とする請求項１３から１６のいずれか一項に記載のローター装置。
【請求項１８】
一つのローター軸（１０）、ローター軸（１０）と接続された少なくとも一つのローターディスク（１２）、および、ローターディスク（１２）、特に、ローターディスク（１２）の中央の担持リング（２２）を取り囲む少なくとも一つの補強リング（１４）を有する、真空ポンプ、特にターボ分子ポンプの為のローター装置であって、その際、ローター装置が、請求項１から１２のいずれか一項に記載の方法により製造されている、または製造可能であることを特徴とするローター装置。
【発明の詳細な説明】
【技術分野】
【０００１】
本発明は、真空ポンプ、特にターボ分子ポンプの為のローター装置を製造するための方法と、真空ポンプ、特にターボ分子ポンプの為のローター装置に関する。
【背景技術】
【０００２】
例えばターボ分子ポンプのような真空ポンプは、例えば半導体製造のような様々な技術の領域で、各プロセスの為に必要な真空をつくりだすために使用される。ターボ分子ポンプは、典型的には一つのローター軸、ローター軸と接続される複数のローターディスク、ならびに、ローターディスクの間に配置される複数のステータディスクを有する。その際、ローターディスクおよびステータディスクは、其々、複数の羽根を有している。これら羽根は、ポンプ作用を奏する構造を形成し、そしてローター装置のステーターに対する高速回転の際に望まれるポンプ作用を提供する。
【０００３】
ローターディスクをローター軸と回転不能に接続するために、ローターディスクをローター軸に焼き嵌めすることが公知である。特許文献１および２は、代替的な方法を開示している。該方法においては、ローターディスクは、其々一つの挟持リングによってローター軸と回転不能に接続される。
【０００４】
特許文献３は、複数のローターディスクを有するターボ分子ポンプを開示する。これらローターディスクは、シリンダー状の補強管によって外側を遊びを有さず取り囲まれている。補強管は、ローターの強度を高めるため、およびいわゆる「バースト」、つまりローターの破損の危険性、またはその際自由になる破壊力を減少させるために使用される。
【０００５】
ローターディスクとローター軸の間の回転不能な接続は、公知の真空ポンプにおいては、制限された強度を有しているので、これら真空ポンプが運転される最大回転数および最大トルクと、その結果、真空ポンプによって達成可能なポンプ性能は制限されている。
【先行技術文献】
【特許文献】
【０００６】
【特許文献１】欧州特許出願公開第１  ０９６  １５２  Ａ２号明細書
【特許文献２】欧州特許出願公開第０  ９６７  ４０５  Ａ２号明細書
【特許文献３】国際公開第２００９／０４９９８８  Ａ１号明細書
【発明の概要】
【発明が解決しようとする課題】
【０００７】
よって本発明の課題は、高いポンプ性能を補償し、そして特に、危険なく高回転かつ高トルクで運転されることが可能である、真空ポンプ、特にターボ分子ポンプの為のローター装置が製造されることが可能である一つの方法を提供することである。更に、本発明の課題は、真空ポンプの為の対応するローター装置の提供である。
【課題を解決するための手段】
【０００８】
この課題は、請求項１に記載の特徴を有する方法によって解決される。
【０００９】
本方法は、一つのローター軸、ローター軸と接続される少なくとも一つのローターディスク、およびローターディスクを取り囲む少なくとも一つの補強リングを有する、真空ポンプ、特にターボ分子ポンプの為のローター装置の製造の為に使用される。本方法は、補強リングとローターディスクの間に、横断方向圧着接続圧着接続（独語：Ｑｕｅｒｐｒｅｓｓｖｅｒｂｉｎｄｕｎｇ）、特に延伸圧着接続（独語：Ｄｅｈｎｐｒｅｓｓｖｅｒｂｉｎｄｕｎｇ）または収縮圧着接続（独語：Ｓｃｈｒｕｍｐｆｐｒｅｓｓｖｅｒｂｉｎｄｕｎｇ）が形成されることを含む。
【００１０】
横断方向圧着接続によって、補強リングおよびローターディスクは、長期にわたり、高い強度で互いに接続されることが可能である。互いに横断方向圧着接続された補強リングおよびローターディスクを有する真空ポンプは、よって、極めて高い回転数でも運転されることができ、または極めて高いトルクを達成することができるので、該真空ポンプによって高いポンプ性能が図られることが可能である。
【００１１】
補強リングとローターディスクの間の延伸圧着接続は、ローターディスクが冷却され、その後、補強リングがローターディスクにセットされ、または差し込まれ、その際、ローターディスクが暖められる際に膨張（拡張）し、そしてその際、延伸圧着接続が形成されることにより形成されることが可能である。
【００１２】
焼き嵌め（独語：Ａｕｆｓｃｈｒｕｍｐｆｅｎ）によって、補強リングは、ローターディスクと収縮圧着接続を行う。これは、延伸圧着接続同様、きわめて高い強度を有する。その際、補強リングは、延伸圧着接続におけるように、収縮圧着接続の外側の要素を形成し、そしてローターディスクは内側の要素を形成する。
【００１３】
例えば、ローターディスクが、ローター軸に焼き嵌めされる結果、ローターディスクがローター軸上により確実に座することが保証されるとき、ローターディスクと補強リングの結合は、その極めて高い強度に基づいて、ローターディスクのみにて可能であろうよりも明らかに堅固な接続をローター軸と行う。本方法において製造されるローター装置は、よって、極めて高い強度を有し、そして問題なく高い回転数およびトルクで運転されることが可能である。これらが、高いポンプ性能を可能とする。バーストの危険は、補強リングによって提供される補強によって著しく減少されるので、高いポンプ性能においても、真空ポンプの確実な運転が補償される。
【００１４】
本発明の有利な実施形は、下位の請求項、明細書、および図面中に記載される。
【００１５】
横断方向圧着接続を補強リングとローターディスクの間に形成するために、ローターディスクが冷却され、そして補強リングがその後、冷却されたローターディスクに取り付けられると有利である。ローターディスクが再び温められると、横断方向圧着接続が補強リングとローターディスクの間に形成される。
【００１６】
収縮圧着接続を形成するために、補強リングが加熱され、そしてその後ローターディスク上に取り付けられると有利である。補強リングが再び冷却されると、これは縮まり、そしてその際、ローターディスクと収縮圧着接続を形成する。
【００１７】
ローターディスクと、このこれに座する補強リングの間に横断方向圧着接続を形成するために、ローターディスクの外直径と補強リングの内直径は、好ましくは互いにプレス嵌め（独語：Ｐｒｅｓｓｐａｓｓｕｎｇ）の形式で形成されている。これによって、横断方向圧着接続が、ローターディスクと補強リングの間の高い回転強度を生じさせることが保証される。
【００１８】
有利な実施形に従い、ローターディスクは、二つの軸方向の端部を有する。その際、両方の軸端部においては、各一つの補強リングがローターディスクに取り付けられ、そして横断方向圧着接続が、各補強リングとローターディスクの間に形成される。ローターディスクの両方の軸方向の端部における二つの補強リングの使用によって、補強されたローターディスクの強度と、ローターディスクおよびローター軸管の接続が追加的に高められる。
【００１９】
横断方向圧着接続は、原理的には、外側のコンポーネント、つまり補強リングの加熱を含むことが可能であり、及び／又は内側のコンポーネント、つまりローターディスクの冷却を含むことが可能である。各コンポーネントは、その際、室温よりも明らかに高い温度または低い温度に、加熱または冷却される。特にローターディスクの冷却は、例えば液体窒素を使用のもと行われる。
【００２０】
好ましくは、補強リングは、正確に一つのローターディスクのみと接続される。つまり補強リングは、一つより多くのローターディスクと接続されず、唯一のローターディスクのみと接続される。補強リングは、よって正確に一つのローターディスクに付設される。補強リングは、この態様において、他のローターディスクと独立して取り扱われることが可能であり、特にローター軸と接続されることが可能である。後述するように、これによって特に簡単な、ローター装置全体の組立が可能となる。
【００２１】
本方法は、好ましくは、ローターディスクのローター軸との回転不能な接続を含む。当該接続は、好ましくは補強リングをローターディスクと横断方向圧着接続することによって行われる。
【００２２】
有利な実施形に従い、ローターディスクは、特に補強リングとの横断方向圧着接続によってローター軸に取り付けられる。この為、好ましくはローターディスクとローター軸の間に、横断方向圧着接続、特に延伸圧着接続または収縮圧着接続が形成される。よって例えば、ローターディスクとローター軸の間に収縮圧着接続が形成されることが可能である。その際、ローターディスクは、収縮圧着接続の外側のコンポーネントおよびローター軸は内側のコンポーネントを意味する。ローターディスクにすでに補強リングが例えば焼き嵌めされると、ローター軸へのローターディスクの焼き嵌めの際に、補強リングによって図られる、補強されたローターディスクの高められた強度に基づいて、ローターディスクとローター軸の間の接続の明らかに高い強度が達成される。
【００２３】
ローターディスクのローター軸との横断方向圧着接続は、外側のコンポーネント、つまりローターディスクの加熱、及び／又は内側のコンポーネント、つまりローター軸の冷却を含みうる。その際、加熱または冷却は、室温より明らかに上または下の温度への加熱または冷却を含みうる。冷却は、液体窒素を使用して行われる。
【００２４】
有利な実施形に従い、ローターディスクのローター軸上への横断方向圧着接続または延伸圧着接続は、ローター軸の冷却を含む。ローターディスクの加熱は、この態様において追加的に行われるか、または行われないことが可能である。ローター軸の冷却は、有利である。というのは、冷却されたローター軸は、補強リングを有し相応して加熱されたローターディスクよりも明らかに激しく変形可能である、というのは補強リングが、ローターディスクの熱膨張性を減少させることが可能だからである。
【００２５】
本方法は、好ましくは、ローター軸と接続される複数のローターディスクを有するローター装置の製造の為に使用される。これらローターディスクは好ましくは軸方向で相連続している。これに対応して、有利な実施形に従い、複数のローターディスクがローター軸上に取り付けられる。好ましくは、複数のローターディスクには、其々少なくとも一つの補強リングが取り付けられる。詳しく言うと、特に、少なくとも一つのローターディスクに関して上述したような方法で横断方向圧着接続によって取り付けられる。その際、例えば補強リングのローターディスクへの焼き嵌めは、各ローターディスクをローター軸に取り付ける前に行われる。ローターディスクをローター軸に取付ける為に、複数のローターディスクは、少なくとも一つのローターディスクに関して上述した方法で、ローター軸と横断方向圧着接続されることが可能である。
【００２６】
有利な実施形に従い、ローターディスクは一つの共通なプロセスでローター軸と接続される。この為、ローター軸は冷却され、そして複数のローターディスクはその結果ローター軸に取り付けられるので、複数のローターディスクは、これに続くローター軸の加熱の際に、共通してローター軸と接続されることが可能である。ローター装置の製造のためのコストはこれによって低く保たれる。
【００２７】
有利な実施形に従い、ローターディスクは個々にローター軸上に取り付けられ、そして特にローターディスクと横断方向圧着接続される。これは、ローターディスクが、ローターディスクが、自立式に互いに依存しあうことなく、ばらばらにローター軸に取り付けられることを意味する。複数のローターディスクのお互いの独立性によって、ローター軸への取付の際の容易な取扱い、および、ローターディスクとローター軸の間の良好な接続が保証される。
【００２８】
ローター装置を製造するための本明細書に記載の方法は、基本的に、当該ローター装置を有する真空ポンプを製造するための方法の構成要素である。よって本発明の対象は、この明細書に記載した方法によるローター装置の製造を含む真空ポンプの製造のための方法でもある。
【００２９】
有利な実施形に従い、ローターディスクは、これらが真空ポンプ内で、ローターディスクの間に位置するステーターディスクと軸方向で交互になるようローター軸に取り付けられる。その際、ステータディスクは、好ましくは真空ポンプのハウジングに設けられている、または設けられる。これによって、ローター軸が、ローターディスクも貫通し、ローター軸と軸方向で交互に位置するステータディスクも貫通して延在し、そして例えば、ターボ分子ポンプにおける使用に適している配置が得られる。
【００３０】
ステータディスクは、ローター装置の組立ての際にすでにローター軸と回転可能に通され、かつローターディスクの間に挿入されることが可能であるので、ローター装置の完全なる組立の後に、ローターディスクの間に組み立てられるばらばらのステータディスクを使用する必要が無い。その代わりに、其々、一部品式に結びついており、そして特に材料統一的な構造体によって形成されているステータディスクが使用されることが可能である。一部品式のステータディスクは、其々一つの貫通した開口部を有していることが可能である。ローター装置の製造の際に、この開口部を通ってローター軸が案内される。真空ポンプの製造は、これによって著しく簡易化される。というのは、ローター装置とステータディスクが一つの共通な方法ステップ中に組み立てれらることが可能だからである。
【００３１】
補強リングは、完全にまたは部分的に一つの材料から成ることが可能である。この材料は、少なくとも一つのローターディスクの材料と異なっている。特に補強リングは、少なくとも一つの方向、特に補強リングの周囲方向において、ローターディスクの材料よりも高い強度を有する一つの材料を有している。これによって、補強リングおよびローターディスクからなる結合の、特に高い強度が達成される。
【００３２】
接続の強度およびローター装置によって達成可能なポンプ性能に関する特に良好な結果は、少なくとも一つの方向、特に補強リングの周囲方向において、少なくとも５００ＭＰａ、好ましくは少なくとも６００ＭＰａ、特に好ましくは少なくとも７００ＭＰａ、そして最も好ましくは８００ＭＰａの引張強度を有する一つの材料から補強リングが、完全にまたは部分的に成っているとき達成される。好ましくは、７００ＭＰａよりも高い引張強度を有する材料が使用される。
【００３３】
有利な実施形に従い、補強リングは、完全にまたは部分的に、繊維強化プラスチック、特に炭素繊維強化プラスチック（ＣＦＫ）から成る。好ましくはプラスチックは、高じん性（英語：Ｈｉｇｈ  Ｔｅｎａｃｉｔｙ）繊維または高じん性繊維よりも更に高い強度を有する、超高じん性（英語：Ｓｕｐｅｒ  Ｔｅｎａｃｉｔｙ）繊維を有する。この材料の高い強度に基づいて、特に堅固な接続が補強リングとローターディスクの間、およびローターディスクとローター軸の間に達成される。
【００３４】
ローターディスク及び／又はローター軸及び／又は少なくとも一つのステータディスクは、完全にまたは部分的に一つの金属材料からなることが可能である。この金属材料は、アルミニウムを含むか、またはアルミニウムによって、またはアルミニウム合金によって形成されていることが可能である。ローターディスク及び／又は少なくとも一つのステータディスクは、好ましくは一部品式に関連しあい、そして特に材料統一的である構造体によって形成されている。この構造体は、管体の特に材料除去を行う処理、特に切削処理によって製造されていることが可能である。
【００３５】
補強リングとローターディスクの間の特に堅固な接続は、補強リングとローターディスクが室温において、０．０００５から０．０４ｍｍの間、好ましくは０．０００８から０．０３ｍｍの間、および特に好ましくは０．００１から０．０２５ｍｍの間の放射方向の余剰を有するとき達成される。ローターディクスとローター軸の間の特に堅固な接続は、補強されたローターディスクとローター軸が室温において０．０１から０．１ｍｍの間、好ましくは０．０２ｍｍから０．０８ｍｍの間、および特に好ましウｋは０．０４から０．０６ｍｍの間の放射方向の余剰を有するとき達成される。
【００３６】
発生する接続が、補強リングの放射方向内側面と、ローターディスクの放射方向外側面の間にシリンダー側面形状の接触領域を有するよう、補強リングはローターディスクに取り付けられることが可能である。当該接触領域において、補強リングとローターディスクは互いに押付けられ合う。発生する接続が、ローターディスクは、ローターディスクの放射方向内側面とローター軸の放射方向外側面の間にシリンダー側面形状の接触領域を有するよう、ローターディスクはローター軸に取り付けられることが可能である。この接触領域においてローターディスクとローター軸は互いに押付けられ合う。
【００３７】
好ましくは、ローターディスクはターボ分子的ローターディスクとして形成されている。ローターディスクは、一つの担持リングと、担持リングから放射方向へと突き出す複数の羽根を有していることが可能である。これは、ローターディスクのマウントを形成する。担持リングは、ローターディスクの羽根の為の結束を形成することができる。担持リングは、好ましくは一つの貫通する開口部を有する。この開口部を通って完成したローター装置のローター軸が延在する。
【００３８】
補強リングは、ローターディスクの担持リングに取り付けられ、特に延伸圧着接続または焼き嵌めされることが可能であるので、担持リングの放射方向外側面と補強リングの放射方向内側面は、横断方向圧着接続の接触領域を形成する。担持リングは、二つの軸方向端部を有することが可能であり、そして一方または両方の軸方向端部に、軸方向にマウントを越えて突出する各一つの部分を有することが可能である。これら部分の一方または両方の部分には、各一つの補強リングが例えば焼き嵌めされる、または延伸圧着接続されることが可能である。
【００３９】
ローター軸は、好ましくは円形の断面を有する、好ましくはロッド形状の構造体によって、特に中実体によって形成されている。ローター軸は、回転軸を中心として回転可能に真空ポンプ内に支承されていることが可能である。その際、回転軸は好ましくはローター軸の長手方向軸に一致する。
【００４０】
本発明の更なる特徴は、真空ポンプ、特にターボ分子ポンプのためのローター装置であり、当該ローター装置は、一つのローター軸、該ローター軸と接続された一つのローターディスク、および外ローターディスクを取り囲む一つの補強リングを有しており、その際、補強リングは、横断方向圧着接続によって、特に延伸圧着接続または収縮圧着接続によってローターディスクと接続されている。ローター装置は、好ましくは、本明細書に従うローター装置を製造するための方法によって製造されている、または製造可能である。ここに記載される有利な実施形および発明に係る方法の長所は、発明に係るローター装置の相当する有利な実施形および長所を表す。ローター装置は、ローターディスクとローター軸の間の特別堅固な接続によって際立っている。この接続は、極めて高い回転数においても、ローターディスクがローター軸上に堅固に座していることを保証するので、真空ポンプは極めて高い回転数においても駆動されることが可能であり、かつ高いポンプ性能を提供することができる。
【００４１】
有利な実施形に従い、ローターディスクは二つの軸方向の端部を有する。その際、両方の軸方向の端部においては、各一つの補強リングがローターディスクに取り付けられており、そして各補強リングとローターディスクの間には横断方向圧着接続が形成されている。
【００４２】
ローターディスクはローター軸と、横断方向圧着接続を介して、特に延伸圧着接続かまたは収縮圧着接続を介して接続されていることが可能である。よってローターディスクは、好ましくは、ローター軸に焼き嵌めされる、またはこれと得延伸圧着接続される。補強リングは、好ましくは正確に一つのローターディスクのみと接続されている、つまり好ましくは、補強リングは、一つより多くのローターディ梳くと接続されず、よってもっぱら唯一のローターディスクとのみ接続されている。原理的には、複数のローターディスクがローター軸に取り付けられていることが可能であり、そして特に焼き嵌めされる、または延伸圧着接続されていることが可能である。
【００４３】
ローター装置は、真空ポンプの部分である、特にターボ分子ポンプの部分であることが可能である。本発明の対象は、よって、本明細書に従うローター装置を有する真空ポンプ、特にターボ分子ポンプでもある。
【００４４】
好ましくは、真空ポンプ内で軸方向において、ローター軸と接続される複数のローターディスクは、当該ローターディスクの間に配置されるステータディスクと交互に位置している。これらステータディスクは、真空ポンプに、例えば真空ポンプのハウジングに固定されている。
【００４５】
ステータディスクは、好ましくは一部品式の結びついた、そして特に材料統一的な構造体として形成されている。ステータディスクは、好ましくは其々一つの貫通する開口部を有している。この開口部を通ってローター軸が延在している。
【００４６】
少なくとも一つの補強リングが全体的に、または部分的に、繊維強化プラスチックから、特に炭素繊維強化プラスチック（ＣＦＫ）から成っていると好ましい。プラスチックは、ＨＴ繊維またはＳＴ繊維を有し得る。
【００４７】
一または複数のローターディスクは、好ましくは、ターボ分子的ローターディスクとして形成されている。
【００４８】
本発明に従う真空ポンプは、上述したようなローター装置を有している。その際ローター軸は、好ましくは、一つの回転軸を中心として回転可能に、二つの軸方向端部において支承されている。その際、一または複数のローターディスクは、両支承部の間に配置されたローター軸の部分内でローター軸に取り付けられていることが可能である。その際、一つの支承部は転がり支承部として形成されていることが可能であり、及び／又は、特にポンプの高真空側に付設されている一つの支承部は、マグネット支承部として、特に永久磁石支承部として形成されていることが可能である。
【００４９】
以下に本発明を有利な実施形にもとづき例示的に、添付の図面を参照しつつ説明する。図は以下を示す。
【図面の簡単な説明】
【００５０】
【図１】本発明の一つの実施形による方法に従う、ローター装置の製造の為の、一つのローターディスク、一つのローター軸および二つの補強リングの側面図
【図２】本発明の一つの実施形によるローター装置の上面図
【図３】本発明の一つの実施形によるローター装置を有する真空ポンプも部分図の断面図にて示す図
【発明を実施するための形態】
【００５１】
図１は、軸２０に沿って延在している一つのローター軸１０と、ローター軸１０と回転不能に接続され、一つの担持リング２２と複数の、担持リングから放射方向に突き出す複数の羽根２４を有するローターディスク１２を示す。該羽根は、ローターディスク１２のマウントを形成している。ローター軸１０は、担持リング２２によって形成される、ローター軸１０の収容の為の開口部の向かい側に、放射方向の余剰を有する。更に、ローターディスク１２の為の二つの補強リング１４が表されており、これらは、ローターディスク１２の軸方向の端部部分の向かい側に、放射方向の余剰を有している。
【００５２】
ローター装置の製造の為に、まず両方の補強リング１４は、ローターディスク１２のマウントを越えて軸方向に突き出した各部分上に、横断方向圧着接続、特に延伸圧着接続の形式のものを形成しつつ取り付けられている。このため、ローターディスク１２は冷却されるので、ローターディスク１２は収縮させられる。引き続いて補強リング１４が、ローターディスク１２の両方の軸方向の端部部分上へとずらされる。その際、放射方向の余剰は、ローターディスク１２が縮むことにより補償されるので、補強リング１４は本質的な抵抗なくローターディスク１２上に取り付けられることが可能である。ローターディスク１２が引き続いて再び室温へと暖められ、そしてその際再び膨張すると、自動的に、ローターディスク１２と補強リング１４の間に極めて堅固かつ確実な延伸圧着接続がつくりだされる。
【００５３】
補強リング１４は、ローターディスク１２の各突き出した部分上にも焼き嵌めされることが可能である。この為、各補強リングは加熱されるので、膨張し、そして突き出した各部分の放射方向の余剰が補償され、そして各補強リング１４はそれによって本質的な抵抗なく差し込まれることが可能である。補強リングが収縮させられると、極めて堅固な収縮圧着接続が、各補強リング１４とローターディスク１２の間に自動的に形成される。
【００５４】
補強リング１４をローターディスク１２に取り付けた後、ローターディスク１２は、補強リング１４と共にローター軸１０上に焼き嵌めされるまたは延伸圧着接続される。この為例えば、ローター軸１０は冷却されるので、ローター軸１０は収縮し、そしてより小さな外直径を有する。この外直径は、ローターディスク１２の内直径に基本的に一致する。この状態において、ローターディスク１２は、本質的な抵抗を有することなくローター軸１０上に取り付けられることが可能である。ローター軸１０が、その結果として再び室温に暖められ、そして再び膨張すると、ローターディスク１２とローター軸１０の間に極めて堅固でかつ確実な圧着接続が自動的につくりだされる。
【００５５】
図１には例示的に、一つのローターディスク１２のみが表されているが、好ましくは複数のローターディスク１２が、個々に、冷却されたローター軸１０に取り付けられ、そして、引き続いてローター軸１０を室温まで温められる際に、共通してローター軸１０と接続され、そうして、軸方向に相連続する複数のローターディスク１２と一つのローター装置を形成する。
【００５６】
図２は、一つのローター装置を上面図として示す。このローター装置は、図１を参照のもと上述した方法により製造可能である。補強リング１４の放射方向内側面とローターディスク１２の担持リング２２の放射方向外側面の間、およびローターディスク１２の担持リング２２の放射方向内側面と、ローター軸１０の放射方向外側面の間には、其々、一つの横断方向圧着接続が存在する。これは、ローターディスク１２がローター軸１０上に堅固かつ極めて確実に座することを保証するよう、上述した面を互いにプレスする。
【００５７】
図３は、複数のローターディスク１２を有するローター装置を有する真空ポンプを示す。当該ローターディスクは、図１および２を参照のもと上述した方法で、一つの共通のローター軸１０上に取り付けられたものである。ローター軸１０上にローターディスク１２を取付ける際、ローターディスク１２が、軸方向においてステータディスク１６と交互に並ぶことが考慮される。ステータディスクは、図示されていないハウジングに固定されている。ステータディスク１６のうち、図３には羽根のみが示されている。これら羽根は、放射方向で外側に配置され、かつ真空ポンプのハウジングに担持された、ステータディスク１６の担持リングから出発して、放射方向に内側に向かって延在している。ローターディスク１２の羽根２４は、軸方向において隣接するステータディスク１６の羽根と各一つのターボ分子ポンプ段を形成する。このターボ分子ポンプ段は、軸方向に向けられたポンプ作用を提供する。その際、ローターディスク１２上に取り付けられた補強リング１４は、ローターディスク１２とローター軸１０の間の堅固な接続を、真空ポンプが危険なく極めて高回転かつ高トルクで運転されることが可能であるよう、そしてこれに応じて高いポンプ性能が提供されることができるよう生じさせる。
【００５８】
図３は、補強リング１４が、ローター軸１０の軸２０の方向において、其々、ローターディスク１２の中央の各担持リング２２を越えて突き出さず、担持リング２２の軸方向の端部に対して跳ね返ることを示す。代替として、少なくとも近似的に軸方向において同一平面にある締結が、補強リング１４と担持リング２２の軸方向の端部の間に意図されることが可能である。
【００５９】
いずれの補強リング１４も、正確に一つの唯一のローターディスク１２のみと接続されている。軸方向において直接相連続する二つのローターディスク１２の互いに向き合った面の間には、略管形状または略スリーブ形状の、両方のローターディスク１２に付設された唯一の補強要素のみが意図されるのではなく、そこには二つの独立した、軸方向に互いに間隔をあけて配置された二つの補強リング１４が設けられ、これら補強リングが、其々、正確に一つの唯一のローターディスク１２に付設されている。
【符号の説明】
【００６０】
１０  ローター軸
１２  ローターディスク
１４  補強リング
１６  ステータディスク
２０  軸
２２  担持リング
２４  羽根
【図１】
2015137648.tif 000003
【図２】
2015137648.tif 000004
【図３】
2015137648.tif 000005